(57)【要約】【課題】ダックビル状の弁を変形して容器栓体に適用した二方ダックビル弁付き容器栓体に関し、さらに詳しくは、二方ダックビル弁を容器栓体に適用して計量カップや分離可能な計量キャップを使用することなく、容器内の中身を所望の量だけ容易に調節して排出できるようにした二方ダックビル弁付き容器栓体を提供する。【解決手段】円筒状から面状へ次第に狭くなる構造に形成され、直線状の第１の流路１４と円弧状の第２の流路１５とを有し、前記第１の流路１４と第２の流路１５とに同時に加えられる加圧力に対して第１の流路１４と第２の流路１５とを互いに反対に開放または閉鎖するように構成された二方ダックビル弁１０と、容器５０に貯留された中身５２を外部に排出する容器の入り口５１の内側に結合され、下端部に前記二方ダックビル弁１０が配設され、一定の量の中身５２が貯留される定量容器の内側キャップ２０と、前記二方ダックビル弁１０を固定できるように前記内側キャップ２０の下部に締結される弁ホルダ３０と、前記容器の入り口５１に螺着され、前記内側キャップ２０の上端が嵌合するカバーキャップ４０と、を備える。【選択図】図１
2020527115.tif 000002
【特許請求の範囲】
【請求項１】
円筒状から面状へ次第に狭くなる構造に形成され、直線状の第１の流路（１４）と円弧状の第２の流路（１５）とを有し、前記第１の流路（１４）と第２の流路（１５）とに同時に加えられる加圧力に対して第１の流路（１４）と第２の流路（１５）とを互いに反対に開放または閉鎖するように構成された二方ダックビル弁（１０）と、
容器（５０）に貯留された中身（５２）を外部に排出する容器の入り口（５１）の内側に結合され、下端部に前記二方ダックビル弁（１０）が配設され、一定の量の中身（５２）が貯留される定量容器の内側キャップ（２０）と、
前記二方ダックビル弁（１０）を固定できるように前記内側キャップ（２０）の下部に締結される弁ホルダ（３０）と、
前記容器の入り口（５１）に螺着され、前記内側キャップ（２０）の上端が嵌合するカバーキャップ（４０）と、
を備えることを特徴とする、容器栓体。
【請求項２】
前記二方ダックビル弁（１０）は、円筒状から面状へ次第に狭くなる構造に形成され、面状の上端部に前記第１の流路（１４）が形成された弁胴体（１１）と、前記弁ホルダ（３０）により固定され、前記弁胴体（１１）が嵌合する環状の弁座台（１２）と、前記弁胴体（１１）の下端部であって、前記弁座台（１２）の内周面との間に前記第２の流路（１５）が形成されるようにする下端弁座（１３）と、を有し、
前記第１の流路（１４）と第２の流路（１５）とに同時に加えられる加圧力に対して前記弁胴体（１１）と下端弁座（１３）とが前記第１の流路（１４）と第２の流路（１５）とを互いに反対に開放または閉鎖することを特徴とする、請求項１に記載の容器栓体。
【請求項３】
前記内側キャップ（２０）は、容器の入り口（５１）の内側に嵌合し、中身（５２）が貯留される円筒状の胴体（２１）と、前記容器の入り口（５１）の上端に載せられるように前記胴体（２１）の上端から外側に向かって延設された鍔部（２２）と、前記二方ダックビル弁（１０）の弁座台（１２）が載置されるように前記胴体（２１）の下端の部分に形成される下部支持台（２３）と、前記弁ホルダ（３０）が締結されるように前記胴体（２１）の下側の内周面に形成されるねじ部（２４）と、前記鍔部（２２）と容器の入り口（５１）の上端との間に介在されるシールリング（２５）と、を備えることを特徴とする、請求項１に記載の容器栓体。
【請求項４】
前記弁ホルダ（３０）は、外周面にねじ山（３１）が形成されるとともに、上端面に２以上の工具係合用の溝（３２）が形成されたことを特徴とする、請求項１に記載の容器栓体。
【請求項５】
前記弁ホルダ（３０）は、下端内側の周縁に沿って加圧突起（３３）が形成され、前記二方ダックビル弁を構成する弁座台の上面を加圧することを特徴とする、請求項４に記載の容器栓体。
【請求項６】
前記カバーキャップ（４０）は、容器の入り口（５１）の外周面に螺合されて密封する外側結合部（４１）と、前記内側キャップ（２０）が嵌合するように前記外側結合部（４１）の上面の内側から下向きに突出した内側結合部（４２）と、を備えることを特徴とする、請求項１に記載の容器栓体。
【請求項７】
前記カバーキャップ（４０）は、内側キャップ（２０）の上端を加圧して密閉するように、前記内側結合部（４２）の外側に結合される環状のシール部材（４３）をさらに備えることを特徴とする、請求項６に記載の容器栓体。
【発明の詳細な説明】
【技術分野】
【０００１】
本発明は、ダックビル状の二方ダックビル弁を容器栓体に適用して計量カップや分離可能な計量キャップを使用することなく、容器内の中身を所望の量だけ容易に調節して排出できるようにした二方ダックビル弁及びそれを備える容器栓体に関する。
【背景技術】
【０００２】
一般に、ごま油や食用油、さらには、シロップなどの医薬品等の液状の中身、または塩や砂糖などの粉末状の中身を貯留する容器の開口部にはキャップ（ｃａｐ）が設けられている。このようなキャップには、容器の内部に詰め込まれた液状の中身を排出するための１本の排出孔が形成されていて、使用者により容器を傾けることにより、液状または粉末状の中身が前記排出孔を介して外部に排出されるようにしている。
【０００３】
このような容器内の中身を用いて料理をしたり薬品を混合したりするとき、容器から中身が所望の量だけ吐き出されてこそ、所望の比率を合わせることができるため、別途の計量カップを用いたり、キャップそのものに計量のための目盛りを表示したりして、中身の量を計量できるようしている。
【０００４】
しかしながら、前述した場合には、容器の中身を計量カップやキャップに吐き出した後、目視することを余儀なくされるという不都合があり、正確な量の中身を吐き出し難いが故に、実際に吐き出された中身の量が足りなかったり、中身が過剰に吐き出されたりする虞があり、中身の吐き出し過ぎにより計量カップ及びその外部が汚れ、中身の余計なロスが生じてしまうという問題がある。
【０００５】
一方で、本発明と関連する先行技術を調査してみたところ、多数の特許文献が検索された。これらの一部を紹介すると、次の通りである。
【０００６】
特許文献１には、蓋体部に外周面から伸びた弾性変形可能な係止片を形成するとともに、キャップ本体には概ね逆「コ」字状に伸びる被係合部を形成し、この被係合部により形成された貫通孔に係止片を貫通させるとともに、被係合部の先端部の下側の周縁部に係止片が引っかかるようにして、蓋体部とキャップ本体とを一体にした、定量キャップに関するものであり、容器の排出口を開閉する蓋体部を容器の上端に連結し、蓋体部に中身の量を計量可能な目盛りを表示することで、蓋体部を開いた状態で蓋体部の内側に中身を所望の量だけ排出して使用できるようにした内側キャップが開示されている。
【０００７】
しかしながら、特許文献１の内側キャップは、単にキャップの蓋体部が計量カップの機能のみを行うが故に、蓋体部に中身を排出する過程で中身の粘性などにより排出される量が一定していないため、所望の量を正確に合わせることができないか、あるいは、蓋体部の外側に流下して中身の無駄使いを招いたり周りを汚したりするなどの問題がある。
【０００８】
特許文献２には、別異の中身を貯留する蓋部が容器に結合され、使用の際には、蓋部を開封したり回したり、または押圧したりして貯留空間に入れられた中身を落下させ、飲用の際には、貯留空間の周りに組み付けられた排出竿を介して飲用するようになっている蓋部の排出竿には逆止め弁を組み付けて構成した、逆止め弁を収容した中身貯留空間を有している蓋部が開示されている。
【０００９】
しかし、特許文献２の蓋部は、逆止め弁の収容により、使用中に容器を倒しても中身が流出されないため、子供や老若者にとっても使い勝手がよいとはいえ、定量排出の機能がないという欠点がある。
【００１０】
特許文献３には、弾反力を有するチューブと、前記チューブの内部に化粧液やその他の各種の洗剤、身体洗浄用品などの中身が詰め込まれる袋と、を二重構造に構成し、上部結合部に吐出孔を有するノズルキャップを結合して構成するが、前記チューブに、チューブを圧着することにより外部の空気を内部に吸い込む吸込み用の逆止め弁と、前記ノズルキャップの吐出孔に袋の圧着により中身を外部に吐き出す吐出用の逆止め弁と、を配設して、チューブの圧着によるポンピング作動により袋が次第に圧着されながら中身を吐き出すようになっている、逆止め弁によるポンピング機能を有する二重構造の貯留容器が開示されている。
【００１１】
しかしながら、特許文献３の場合、吸込み用の逆止め弁は、容器そのものに形成され、吐出用の逆止め弁が容器の入り口に形成されるなど、２つの逆止め弁がそれぞれ互いに異なる位置に形成されてコストパフォーマンスが低く、しかも、使い勝手が悪いことを甘受しなければならないという欠点がある。
【００１２】
これらの従来の技術が抱えている問題を解決すべく、本出願人は、長い時間をかけて鋭意研究を行ったところ、計量カップや分離可能な計量キャップを使用しない上で、容器内の中身が一括して排出されることなく、所望の量だけ容易に調節された後に外部に排出できるようにした、「二方ダックビル弁及びそれを備える容器栓体」を開発して出願したことがあり、これについては、特許文献４に開示されている。
【００１３】
前述した先出願発明には、二つの経路を同時に制御するが、一つの入力に対して各経路に対する開放と閉鎖をそれぞれ反対に制御するか、あるいは、一つの入力に対してある一方の経路は開放し、他方の経路は閉鎖するように制御する二方ダックビル弁を開示するとともに、容器の上面に形成されて容器に貯留された中身を外部に排出する容器の入り口に結合され、前記二方ダックビル弁が結合される内側キャップと、前記容器の入り口に螺着され、前記内側キャップを囲繞するカバーキャップと、を備える容器栓体が開示されている。
【００１４】
しかしながら、前述した先出願発明の二方ダックビル弁は、内部形状の特性からして、気密が保持され難く、これを備える容器栓体の構造が複雑であるためコストが高騰し、しかも、生産性が低いという問題がある。
【先行技術文献】
【特許文献】
【００１５】
【特許文献１】大韓民国公開特許第２００４−００２３４８０号公報
【特許文献２】大韓民国公開特許第２００４−００３９２２４号公報
【特許文献３】大韓民国登録実用新案第２０−０４６４７８０号公報
【特許文献４】大韓民国公開特許第２０１６−０１３３８０１号公報
【発明の概要】
【発明が解決しようとする課題】
【００１６】
本発明は、前述した先出願発明の問題を解決するために案出されたものであり、公知の逆止め弁の代わりにダックビル弁を採用して内部構成を単純にすることで生産性が向上するようにした、二方ダックビル弁付き容器栓体を提供するところにその目的がある。
【００１７】
また、本発明は、二方ダックビル弁を構成する下端弁座の弾性力を用いて、内側キャップの容量を設定することができ、定量の中身を吐出できるようにした、二方ダックビル弁付き容器栓体を提供するところに他の目的がある。
【課題を解決するための手段】
【００１８】
前記目的を達成するために、本発明は、円筒状から面状へ次第に狭くなる構造に形成され、直線状の第１の流路１４と円弧状の第２の流路１５とを有し、前記第１の流路１４と第２の流路１５とに同時に加えられる加圧力に対して第１の流路１４と第２の流路１５とを互いに反対に開放または閉鎖するように構成された二方ダックビル弁１０と、容器５０に貯留された中身５２を外部に排出する容器の入り口５１の内側に結合され、下端部に前記二方ダックビル弁１０が配設され、一定の量の中身５２が貯留される定量容器の内側キャップ２０と、前記二方ダックビル弁１０を固定できるように前記内側キャップ２０の下部に締結される弁ホルダ３０と、前記容器の入り口５１に螺着され、前記内側キャップ２０の上端が嵌合するカバーキャップ４０と、を備えることを特徴とする。
【００１９】
また、前記二方ダックビル弁１０は、円筒状から面状へ次第に狭くなる構造に形成され、面状の上端部に前記第１の流路１４が形成された弁胴体１１と、前記弁ホルダ３０により固定され、前記弁胴体１１が嵌合する環状の弁座台１２と、前記弁胴体１１の下端部であって、前記弁座台１２の内周面との間に前記第２の流路１５が形成されるようにする下端弁座１３と、を有し、前記第１の流路１４と第２の流路１５とに同時に加えられる加圧力に対して前記弁胴体１１と下端弁座１３とが前記第１の流路１４と第２の流路１５とを互いに反対に開放または閉鎖することを特徴とする。
【００２０】
さらに、前記内側キャップ２０は、容器の入り口５１の内側に嵌合し、中身５２が貯留される円筒状の胴体２１と、前記容器の入り口５１の上端に載せられるように前記胴体２１の上端から外側に向かって延設された鍔部２２と、前記二方ダックビル弁１０の弁座台１２が載置されるように前記胴体２１の下端の部分に形成される下部支持台２３と、前記弁ホルダ３０が締結されるように前記胴体２１の下側の内周面に形成されるねじ部２４と、前記鍔部２２と容器の入り口５１の上端との間に介在されるシールリング２５と、を備えることを特徴とする。
【００２１】
さらにまた、前記弁ホルダ３０は、外周面にねじ山３１が形成されるとともに、上端面に２以上の工具係合用の溝３２が形成されたことを特徴とする。
【００２２】
さらにまた、前記弁ホルダ３０は、下端内側の周縁に沿って加圧突起３３が形成され、前記二方ダックビル弁を構成する弁座台１２の上面を加圧することを特徴とする。
【００２３】
さらにまた、前記カバーキャップ４０は、容器の入り口５１の外周面に螺合されて密封する外側結合部４１と、前記内側キャップ２０が嵌合するように前記外側結合部４１の上面の内側から下向きに突出した内側結合部４２と、を備えることを特徴とする。
【００２４】
さらにまた、前記カバーキャップ４０は、内側キャップ２０の上端を加圧して密閉するように、前記内側結合部４２の外側に結合される環状のシール部材４３をさらに備えることを特徴とする。
【発明の効果】
【００２５】
前述したような特徴を有する本発明に係る二方ダックビル弁付き容器栓体は、二方ダックビル弁が弁ホルダにより内側キャップの下端部に着脱自在に結合されることから、必要に応じて、二方ダックビル弁を取り外して洗浄することにより、衛生的な管理を行うことが可能になることはもとより、容器の中身が内側キャップに送られたり、内側キャップの中身が容器に回収されたりする過程で、二方ダックビル弁の第１の経路と第２の経路が選択的に開放または閉鎖されて弁の作動に伴う信頼性が向上するだけではなく、内部構造が単純であることから、生産性が向上するという効果がある。
【００２６】
また、内側キャップの上端に形成された延長部と容器の入り口との間にシールリングが介在されることで容器の入り口と内側キャップとの間から容器の中身が漏れることが防がれ、内側キャップの延長部とカバーキャップとの間にシール部材が介在されて内側キャップに貯留された中身が漏れなくなるという効果がある。
【００２７】
さらに、二方ダックビル弁に加えられる圧力が大きくなるにつれて、開放される流路の大きさと閉鎖される流路の密閉力もまた大きくなるので、加圧力を調節して多量の流体を速やかに内側キャップに貯留したり貯留量を調節したりすることができ、二方ダックビル弁に圧力が加えられない状態では、すべての経路が閉鎖されて内側キャップに貯留される中身の量を一定に保持することができ、前記内側キャップに中身が定量以上に貯留された場合、カバーキャップの開放に伴い、超えた分の中身が容器に回収されて中身を定量排出することが可能になるという効果がある。
【００２８】
さらにまた、内側キャップに締結された弁ホルダにより二方ダックビル弁が固定されることから、二方ダックビル弁の離脱が防がれ、弁ホルダの下端の内側に形成された突起が二方ダックビル弁の弁座台を加圧することになるので、弁ホルダを締め付けることで、弁座台と下端弁座との間に形成された第２の流路の入り口の開き度（開き量）を調節して内側キャップの容量を制御することが可能になるという効果がある。
【図面の簡単な説明】
【００２９】
【図１】本発明に係る容器栓体の全体の切開斜視図である。
【図２】本発明に係る容器栓体の分解斜視図である。
【図３】本発明に係る二方ダックビル弁と内側キャップ及び弁ホルダを切開した分解斜視図である。
【図４】本発明に係る容器栓体の断面図である。
【図５】容器に中身が貯留された様子を示す断面図である。
【図６】容器をひっくり返した様子を示す断面図である。
【図７】容器を加圧して中身を内側キャップに貯留する様子を示す断面図である。
【図８】内側キャップに中身が貯留された様子を示す断面図である。
【図９】中身を飲用したり排出したりするためにカバーキャップを取り外した状態を示す断面図である。
【図１０】カバーキャップの開放に伴い、定量を超えた中身が回収される様子を示す断面図である。
【発明を実施するための形態】
【００３０】
本発明において用いられる用語は、できる限り、広く用いられる一般的な用語を選択したが、特定の場合には、出願人が任意に選定した用語もある。その場合には、単なる用語の名称ではなく、発明を実施するための具体的な内容に記載され、または、使用された意味を考慮してその意味を把握しなければならない。
【００３１】
以下、添付図面に示されている好適な実施形態に基づいて、本発明の技術的な構成について詳しく説明する。
【００３２】
そのために、特に図面を指し示しながら方向を定めない限り、容器が正常的に立っている状態、すなわち、正立状態の図１を基準として説明する。
【００３３】
本発明による二方ダックビル弁付き容器栓体は、図１から図１０に示すように、円筒状から面状へ次第に狭くなる構造に形成され、直線状の第１の流路１４と円弧状の第２の流路１５とを有し、前記第１の流路１４と第２の流路１５とに同時に加えられる加圧力に対して第１の流路１４と第２の流路１５とを互いに反対に開放または閉鎖するように構成された二方ダックビル弁１０と、容器５０に貯留された中身５２を外部に排出する容器の入り口５１の内側に結合され、下端部に前記二方ダックビル弁１０が配設され、一定の量の中身５２が貯留される定量容器の内側キャップ２０と、前記二方ダックビル弁１０を固定できるように前記内側キャップ２０の下部に締結される弁ホルダ３０と、前記容器の入り口５１に螺着され、前記内側キャップ２０の上端が嵌合するカバーキャップ４０と、を備えてなる。
【００３４】
通常、ダックビル弁は、ゴムから形成される一方向弁であって、円筒状から面状へ次第に狭くなる構造を有し、面状部に吐出口が形成されて円筒状部から面状部の吐出口への吐出しは可能であり、面状部から円筒状部への流入は不可能な一方向弁の一種である。本出願人は、このようなダックビル弁の構造を変更することにより、両方向の流入及び吐出を制御することができるということを見出した。
【００３５】
具体的に、前記二方ダックビル弁１０は、円筒状から面状へ次第に狭くなる構造に形成され、面状の上端部に前記第１の流路１４が形成された弁胴体１１と、前記弁ホルダ３０により固定され、前記弁胴体１１が嵌合する環状の弁座台１２と、前記弁胴体１１の下端部であって、前記弁座台１２の内周面との間に前記第２の流路１５が形成されるようにする下端弁座１３と、を有し、前記第１の流路１４と第２の流路１５とに同時に加えられる加圧力に対して前記弁胴体１１と下端弁座１３とが前記第１の流路１４と第２の流路１５とを互いに反対に開放または閉鎖するように構成する。
【００３６】
これにより、前記弁胴体１１の第１の流路１４を介して中身が容器５０から内側キャップ２０へと送られる間には、前記下端弁座１３が弁座台１２に密着されて第２の流路１５が閉じられ、前記内側キャップ２０の中身５２が容器５０に回収される間には、前記弁胴体１１の第１の流路１４が閉鎖され、前記下端弁座１３は弁座台１２から分離されて第２の流路１５が開放される。
【００３７】
すなわち、前記下端弁座１３は、内側キャップ２０の内部圧力に応じて変形または復元されて前記第２の流路１５を開閉するように構成される。このとき、前記内側キャップ２０の内部圧力は、内側キャップ２０に貯留された中身５２の重量と大気圧との合計の圧力であって、前記内側キャップ２０の中身５２が定量以上であり、カバーキャップ４０が開かれて大気圧が働く場合に限って、前記下端弁座１３が変形されて前記第２の流路１５が開放されるように調節する。
【００３８】
具体的に、前記下端弁座１３は、前記内側キャップ２０の内部圧力が所定の値以上であれば、弁座台１２から分離されて内側に向かって変形されながら前記第２の流路１５を開放する。いうまでもなく、前記内側キャップ２０の中身５２が所定の値以下である場合には、前記下端弁座１３が変形されずにそのまま形状を保持して前記第２の流路１５が閉鎖された状態を保持することになる。したがって、前記下端弁座１３が変形される圧力を用いて、前記内側キャップ２０の容量を調節することができることはもとより、中身５２を定量排出することが可能になるのである。
【００３９】
さらに、前記内側キャップ２０は、容器の入り口５１の内側に嵌合し、中身５２が貯留される円筒状の胴体２１と、前記容器の入り口５１の上端に載せられるように前記胴体２１の上端から外側に向かって延設された鍔部２２と、前記二方ダックビル弁１０の弁座台１２が載置されるように前記胴体２１の下端の部分に形成される下部支持台２３と、前記弁ホルダ３０が締結されるように前記胴体２１の下側の内周面に形成されるねじ部２４と、前記鍔部２２と容器の入り口５１の上端との間に介在されるシールリング２５と、を備える。
【００４０】
ここで、前記内側キャップ２０は、貯留すべき中身５２の容量を考慮して前記胴体２１の高さを決定する。すなわち、貯留すべき中身５２の容量が小さい場合には、前記胴体２１の高さを低くし、貯留すべき中身５２の容量が大きい場合には、前記胴体２１の高さを高くする。ただし、たとえ前記胴体２１の高さを高くしたとしても、前記胴体２１のすべてが前記容器の入り口５１の内部に位置するようにしなければならない。これは、前記胴体２１の下端の部分が前記容器の入り口５１の下端よりも高く位置してこそ、容器５０の内部の中身５２を完全に排出することができるためである。したがって、前記胴体２１の高さが高くなるにつれて、前記容器の入り口の長さも長くなる。
【００４１】
そして、前記内側キャップ２０の胴体２１が容器の入り口５１の内側に嵌合し、前記胴体２１の上端に形成された鍔部２２と容器の入り口５１の上端との間にシールリング５２が配置されることにより、容器５０の中身５２が鍔部２２と容器の入り口５１との間の隙間から漏れなくなる。
【００４２】
前記二方ダックビル弁１０は、内側キャップ２０の下部支持台２３に載せられる形状に配設されるが、前記二方ダックビル弁１０が動かないように固定するために、弁ホルダ３０が用いられる。前記弁ホルダ３０は、外周面に前記内側キャップ２０の下側の内周面に形成されたねじ部２４に締結されるねじ山３１が形成されるとともに、上端面に２以上の工具係合用の溝３２が形成された構造を有する。
【００４３】
これにより、前記工具係合用の溝３２に工具を係合して前記弁ホルダ３０を内側キャップ２０の内部の下側に形成されたねじ部２４に締結することにより、前記下部支持台２３に載せられた二方ダックビル弁１０を強固に固定することが可能になる。
【００４４】
このとき、前記弁ホルダ３０の下端内側の周縁に沿って加圧突起３３が形成され、前記二方ダックビル弁１０を構成する弁座台１２の上面を加圧することが好ましい。前記加圧突起３３は、前記弁座台１２の上面を加圧することにより、前記弁座台１２と下端弁座１３との間に形成される第２の流路１５の入り口側の間隔を変化させることになる。前記第２の流路１５の入り口側の間隔が変化する場合、前記内側キャップ２０の中身５２が容器５０に回収されるときの内側キャップ２０の内部圧力もまた変化するため、前記弁ホルダ３０の締め付けを用いて、前記第２の流路１５を介した中身５２の回収のための前記内側キャップ２０の内部圧力を調節することが可能になる。
【００４５】
また、前記カバーキャップ４０は、容器の入り口５１の外周面に螺合されて密封する外側結合部４１と、前記内側キャップ２０が嵌合するように前記外側結合部４１の上面の内側から下向きに突出した内側結合部４２と、前記内側キャップ２０の上端を加圧して密閉するように、前記内側結合部４２の外側に結合される環状のシール部材４３と、を備えてなる。
【００４６】
このように、前記内側キャップ２０の上端の内側に前記内側結合部４２が嵌合し、前記外側結合部４１の上面の内側と前記胴体２１の鍔部２２との間にシール部材４３が介在されるので、前記内側キャップ２０の中身５２が外部に漏れなくなる。
【００４７】
前記のように構成された本発明の二方ダックビル弁付き容器栓体を用いて、定量の中身を排出したり飲用したりする過程について説明すると、次の通りである。
【００４８】
まず、内側キャップ２０の内部に二方ダックビル弁１０を嵌め込んで、前記二方ダックビル弁１０の弁座台１２が前記内側キャップ２０の下部支持台２３に載せられるようにした後、前記内側キャップ２０の内部に嵌め込まれた弁ホルダ３０を前記下部支持台２３の上側に形成されたねじ部２４に螺着する。このとき、前記二方ダックビル弁１０としては、内側キャップ２０の設定貯留量を考慮して下端弁座１３の変形圧力が決定されたものを用い、予め設定された前記弁ホルダ３０の締め付け力に応じて前記弁ホルダ３０を締結する。
【００４９】
次いで、容器５０の内部に中身５２を注入した後、容器の入り口５１にシールリング２５を介在させて内側キャップ２０を押し込むことにより、容器５０の内部の中身５２が容器の入り口５１を介して抜け出ないようにする。そして、シール部材４３を介して前記容器の入り口５１にカバーキャップ４０を締結することにより、前記内側キャップ２０の離脱を防ぎ、前記内側キャップ２０の中身が漏れないようにする。
【００５０】
容器５０の中身５２を定量排出するために、カバーキャップ４０をそのままにした状態で容器５０をひっくり返す場合、別途の圧力を加えなかった状態では、図６に示すように、前記二方ダックビル弁１０の内側と外側にかかる圧力が実質的に同一であるため、容器５０の中身５２が内側キャップ２０に抜け出なくなる。
【００５１】
この状態で、図７に示すように、容器２０に圧力を加えると、この圧力が中身５２を介して前記二方ダックビル弁１０の内側に働くことになる。これにより、前記二方ダックビル弁１０の弁胴体１１の先端に形成された第１の流路１４が開放され、 下端弁座１３と弁座台１２との間の第２の流路１５は閉鎖された状態を保持することになる。これにより、容器５０の中身が第１の流路１４を介して前記内側キャップ２０の内部に送られて貯留される。
【００５２】
前記内側キャップ２０に中身５２が貯留された後には、図８に示すように、前記容器５０を立て直しても、前記内側キャップ２０の中身５２はそのまま保持される。
【００５３】
すなわち、前記二方ダックビル弁１０の内側と外側に働く圧力が同一に保持されて、第１の流路１４と第２の流路１５が両方とも閉鎖された状態を保持するので、前記内側キャップ２０の中身５２が容器５０に流下しなくなる。
【００５４】
しかしながら、図９に示すように、前記カバーキャップ４０を開き外すと、前記内側キャップ２０の中身５２に大気圧がさらに働くことになる。前記二方ダックビル弁１０の弁胴体１１の外側に働く圧力が上昇して、前記第１の流路１４は閉鎖された状態を保持するとともに、前記弁胴体１１の下側に形成された 下端弁座１３の外側にも圧力が働いて第２の流路１５が開放されることになる。
【００５５】
すなわち、前記内側キャップ２０の内部にある中身５２の重量と大気圧が働くことに伴い、 下端弁座１３と弁座台１２との間の第２の流路１５が開状態若しくは閉状態を保持することになる。前記第２の流路１５が開かれる場合、前記弁胴体１１の上端に形成された第１の流路１４は閉状態を保持するので、内側キャップ２０の内部の中身５２が前記第２の流路１５を介して容器５０に回収される。
【００５６】
このように、前記内側キャップ２０の中身５２の一部が容器５０に回収されて定量しか残っていない場合には、前記 下端弁座１３が弾性復元されて前記第２の流路１５を閉鎖することになる。そして、前記内側キャップ２０の中身５２が定量以下である場合には、たとえ大気圧が働いたとしても、前記 前記第２の流路１５が閉状態を保持することになる。
【００５７】
したがって、中身５２の貯留された容器５０をひっくり返し、前記第１の流路１４を開放して容器５０の中身５２を前記内側キャップ２０に貯留するとき、十分な量を貯留した後、前記カバーキャップ４０を開放して前記内側キャップ２０に貯留された中身５２のうち定量を超える分を容器５０に回収し、残余分のみを排出するといった方式で、定量の中身５２のみを排出することが可能になる。
【００５８】
以上の説明は、本発明を例示的に説明したものに過ぎず、明細書に記載されている実施形態は、本発明の技術思想を限定するためのものではなく、説明するためのものであるため、本発明の属する技術の分野における通常の知識を有する者であれば、本発明の技術思想を逸脱しない範囲内において様々な修正及び変形を加えることが可能であろう。よって、本発明の保護範囲は、特許請求の範囲に記載の事項により解釈され、それと均等な範囲内にある技術的事項もまた、本発明の権利範囲に含まれるものと解釈されるべきである。
【符号の説明】
【００５９】
１０  二方ダックビル弁
１１  弁胴体
１２  弁座台
１３  下端弁座
１４  第１の流路
１５  第２の流路
２０  内側キャップ
２１  胴体
２２  鍔部
２３  下部支持台
２４  ねじ部
２５  シールリング
３０  弁ホルダ
３１  ねじ山
３２  工具係合用の溝
３３  加圧突起
４０  カバーキャップ
４１  外側結合部
４２  内側結合部
４３  シール部材
５０  容器
５１  容器の入り口
５２  中身
【図１】
2020527115.tif 000003
【図２】
2020527115.tif 000004
【図３】
2020527115.tif 000005
【図４】
2020527115.tif 000006
【図５】
2020527115.tif 000007
【図６】
2020527115.tif 000008
【図７】
2020527115.tif 000009
【図８】
2020527115.tif 000010
【図９】
2020527115.tif 000011
【図１０】
2020527115.tif 000012
【国際調査報告】
2020527115.tif 000013
2020527115.tif 000014
2020527115.tif 000015
2020527115.tif 000016